(57)【要約】【課題】左右兼用ノギスを提供する。【解決手段】測定用主尺１０および滑動可能な副尺２０を備える。測定用主尺１０は、一端が側辺に伸びて形成されている第一ジョウ１１と、正面に形成された第一目盛１２と、背面に形成された第二目盛とを有する。第一目盛１２と第二目盛とは数字配列の順が逆である。滑動可能な副尺２０は、両端の間に形成されておりかつ測定用主尺１０の装着に用いられる滑動通路と、側辺に伸びて形成され一端が第一ジョウ１１に対応している第二ジョウ２１と、正面に形成された第一測定用目盛２２と、背面に形成された第二測定用目盛とを有する。第一測定用目盛２２と第二測定用目盛とは数字配列の順が逆である【選択図】  図１
0003183421.tif 000002
【実用新案登録請求の範囲】
【請求項１】
測定用主尺および滑動可能な副尺を備え、
前記測定用主尺は、一端が側辺に伸びて形成されている第一ジョウと、正面に形成された第一目盛と、背面に形成された第二目盛とを有し、前記第一目盛と前記第二目盛とは数字配列の順が逆であり、
前記滑動可能な副尺は、両端の間に形成されておりかつ前記測定用主尺の装着に用いられる滑動通路と、側辺に伸びて形成され一端が前記第一ジョウに対応している第二ジョウと、正面に形成された第一測定用目盛と、背面に形成された第二測定用目盛とを有し、前記第一測定用目盛と前記第二測定用目盛とは数字配列の順が逆であることを特徴とする左右兼用ノギス。
【請求項２】
前記測定用主尺は、背面に直線状陥没溝を有し、
前記直線状陥没溝は、前記測定用主尺の前記第一ジョウと反対側の他端まで伸びており、
前記滑動可能な副尺は、前記滑動通路内に前記直線状陥没溝に対応する直線状突起部を有し、
前記直線状突起部は、前記直線状陥没溝を滑動可能に前記直線状陥没溝に装着されていることを特徴とする請求項１に記載の左右兼用ノギス。
【請求項３】
前記直線状突起部は、前記滑動通路に突出し、前記滑動可能な副尺の前記第二ジョウと反対側の他端まで伸びることを特徴とする請求項２に記載の左右兼用ノギス。
【請求項４】
前記滑動可能な副尺は、目測孔をさらに有し、
前記目測孔は、前記滑動可能な副尺の正面および背面を貫通することを特徴とする請求項１から請求項３のいずれか一項に記載の左右兼用ノギス。
【考案の詳細な説明】
【技術分野】
【０００１】
本考案は、ノギスに関し、詳しくは左右兼用ノギスに関するものである。
【背景技術】
【０００２】
図５から図７に示すように、従来のノギスは、主尺３０および副尺４０を備える。
主尺３０は、左端部が下方に伸びて形成した第一ジョウ３１と、正面に形成された長さ表示用目盛３２とを有する。
【０００３】
副尺４０は、左右の両端を連結する滑動通路４３を有する。主尺３０は滑動通路４３内に差し込まれる。副尺４０は左端部の下方に第一ジョウ３１に対応する第二ジョウ４１を有し、正面に長さ表示用目盛３２に対応する測定用目盛４２を有する。
【０００４】
従来のノギスは、第一ジョウ３１と第二ジョウ４１が両方とも左端に形成され、長さ表示用目盛３２と測定用目盛４２が両方とも正面に配置される。従来のノギスを使用する際、右利きの人は右手が第一ジョウ３１と第二ジョウ４２の間に据えられた測定対象物の邪魔にならないが、左利きの人は正面の長さ表示用目盛３２および測定用目盛４２を直視しなければならないだけでなく、左手が測定対象物の邪魔になるため、従来のノギスが非常に使いにくい。従って、このような事態について従来のノギスを改善する必要がある。
【考案の概要】
【考案が解決しようとする課題】
【０００５】
本考案は、左利きの人が従来のノギスを使用する際に非常な不便を感じるということに鑑み、左右兼用ノギスを提供することを主な目的とする。
【課題を解決するための手段】
【０００６】
上述の目的を達成するために、本考案の技術手段により提示された左右兼用ノギスは、測定用主尺および滑動可能な副尺を備える。
【０００７】
測定用主尺は、一端が側辺に伸びて形成した第一ジョウと、正面に形成された第一目盛と、背面に形成された第二目盛とを有する。第一目盛と第二目盛とは数字配列の順が逆である。
【０００８】
滑動可能な副尺は、両端の間に形成されかつ測定用主尺の装着に用いられる滑動通路と、一端が第一ジョウに対応して側辺に伸びて形成した第二ジョウと、正面に形成された第一測定用目盛と、背面に形成された第二測定用目盛とを有する。第一測定用目盛と第二測定用目盛とは数字配列の順が逆である。
【０００９】
上述したとおり、本考案は正面と背面の両面に目盛および測定用目盛を配置するため、左利き、右利きに関わらず使用に便利である。
【図面の簡単な説明】
【００１０】
【図１】本考案の一実施形態による左右兼用ノギスを示す平面図である。
【図２】本考案の一実施形態による左右兼用ノギスを示す平面図である。
【図３】本考案の一実施形態による左右兼用ノギスを示す分解斜視図である。
【図４】本考案の一実施形態による左右兼用ノギスを示す断面図である。
【図５】従来のノギスを示す平面図である。
【図６】従来のノギスを示す平面図である。
【図７】従来のノギスを示す断面図である。
【考案を実施するための形態】
【００１１】
（一実施形態）
以下、本考案の一実施形態による左右兼用ノギスを図面に基づいて説明する。
図１から図３に示すように、本考案の一実施形態による左右兼用ノギスは、測定用主尺１０および滑動可能な副尺２０を備える。
【００１２】
測定用主尺１０は、一端が側辺に伸びて形成した第一ジョウと１１、正面に形成された第一目盛１２と、背面に形成された第二目盛１３とを有する。第一目盛１２と第二目盛１３とは数字配列の順が逆である。
本実施形態において、測定用主尺１０は背面に直線状陥没溝１４を有する。直線状陥没溝１４は測定用主尺１０の第一ジョウ１１と反対側の他端まで伸びる。第一目盛１２の数字は測定用主尺１０上の第一ジョウ１１を形成した一端から他端へ順に配列される。第二目盛１３の数字は第一目盛１２の数字配列と反対方向に順に配列される。
【００１３】
滑動可能な副尺２０は、両端の間に形成されかつ測定用主尺１０の装着に用いられる滑動通路２５と、一端が第一ジョウ１１に対応して側辺に伸びて形成した第二ジョウ２１と、正面に形成された第一測定用目盛２２と、背面に形成された第二測定用目盛２３とを有する。第一測定用目盛２２と第二測定用目盛２３とは数字配列の順が逆である。本実施形態において、滑動可能な副尺２０は滑動通路２５内に直線状陥没溝１４に対応する直線状突起部２４を有する。
【００１４】
直線状突起部２４は直線状陥没溝１４を滑動できるように直線状陥没溝１４に装着される。直線状突起部２４は滑動通路２５に突出し、滑動可能な副尺２０の第二ジョウ２１と反対側の他端まで伸びる。滑動可能な副尺２０はさらに目測孔２６を有する。目測孔２６は滑動可能な副尺２０の正面と背面を貫通する。第一測定用目盛２２の数字は測定用主尺１０上の第一目盛１２に対応し、かつ滑動可能な副尺２０上の第二ジョウ２１を形成した一端から他端へ順に配列される。第二測定用目盛２３の数字は第一測定用目盛２２の数字配列と反対方向に順に配列される。
【００１５】
図４に示すように、測定主尺１０は滑動可能な副尺２０の滑動通路２５中に差し込まれ、直線状陥没溝１４と直線状突起部２４とは相互に嵌合されるため、測定用主尺１０は滑動可能な副尺２０に対し、直線移動することができる。
一方、本実施形態の左右兼用ノギスを使用する際、ユーザは任意の一面から第一測定用目盛２２または第二測定用目盛２３の数字を目測できるだけでなく、目測孔２６によって目測した第一目盛１２または第二目盛１３の数字を確認できる。従って、本実施形態による左右兼用ノギスは二つの方向上の目盛によって正確な測定効果を果たすことができる。
【００１６】
上述したとおり、本実施形態の左右兼用ノギスは正面と背面の両面に目盛および測定用目盛を配置するため、左利き、右利きに関わらず、長さ表示用目盛および測定用目盛を直視すればよい。従って、操作が難しいことはない。
【符号の説明】
【００１７】
１０：測定用主尺、
１１：第一ジョウ、
１２：第一目盛、
１３：第二目盛、
１４：直線状陥没溝
２０：滑動可能な副尺、
２１：第二ジョウ、
２２：第一測定用目盛、
２３：第二測定用目盛、
２４：直線状突起部、
２５：滑動通路、
２６：目測孔。
【図１】
0003183421.tif 000003
【図２】
0003183421.tif 000004
【図３】
0003183421.tif 000005
【図４】
0003183421.tif 000006
【図５】
0003183421.tif 000007
【図６】
0003183421.tif 000008
【図７】
0003183421.tif 000009